(57)【要約】【課題】自走式清掃装置の充電装置を提供すること。【解決手段】上向きの開口部を有し周りが密閉していて、縦に載置された自走式清掃装置に充電させる導電端子を内設する載置部と、載置部に連絡していて載置部に取り付けられた自走式清掃装置の一部分を露出させる凹部とを内設され、誘導信号を発信することによって、自走式清掃装置を充電装置に引き寄せる信号発信素子を内設する充電素子と、を備える。【選択図】図３
2015073425.tif 000002
【特許請求の範囲】
【請求項１】
自走式清掃装置の充電装置であって、
上向きの開口部を有し周りが密閉していて、縦に載置された自走式清掃装置に充電させる導電端子を内設する載置部と、
載置部に連絡していて載置部に取り付けられた自走式清掃装置の一部分を露出させる凹部と、を備えることを特徴とする自走式清掃装置の充電装置。
【請求項２】
前記充電装置に、自走式清掃装置を充電装置に寄りつけさせる誘導信号を発信する信号発信素子を内設することを特徴とする、請求項１記載の自走式清掃装置の充電装置。
【請求項３】
自走式清掃装置の充電装置であって、
上向きの開口部を有し周りが密閉していて、縦に載置された自走式清掃装置に充電させる導電端子を内設する載置部と、
前記充電装置に、自走式清掃装置を充電装置に寄りつけさせる誘導信号をそれぞれ発信する信号発信素子を内設することを特徴とする、自走式清掃装置の充電装置。
【請求項４】
前記充電装置は、前記載置部と連絡し、前記載置部に取り付けていた前記自走式清掃装置の一部を露出させる前記凹部を設けられていることを特徴とする、請求項３記載の自走式清掃装置の充電装置。
【請求項５】
前記信号発信素子は、第１信号発信素子と、第２信号発信素子とを含む、両者はそれぞれ前記凹部の両側に設けることを特徴とする、請求項２または３のいずれかに記載の自走式清掃装置の充電装置。
【請求項６】
前記載置部に、前記自走式清掃装置を誘導し、前記載置部に照準して、前記載置部の内部に嵌着させる誘導部材を設けることを特徴とする、請求項１または３のいずれかに記載の自走式清掃装置の充電装置。
【請求項７】
自走式清掃装置の充電装置であって、
上向きの開口部を有し、前記自走式清掃装置を縦に取り付ける載置部と、前記載置部の前側に前記載置部と連絡し上向きの開口部を有する凹部を含む、第１ケース体と、
前記第１ケース体の下方に位置し、前記充電装置を床面に安定に立たせる支え台を有する第２ケース体と、
前記第２ケース体に設けていて、正負極導電端子と、電源に接続することができるソケットとを有する電気回路板に取り付ける電気回路装置と、を備えることを特徴とする自走式清掃装置の充電装置。
【請求項８】
前記電気回路装置の前記電気回路板は、前記自走式清掃装置の誘導信号を発信する前記信号発信素子と電気接続されていることを特徴とする、請求項７記載の自走式清掃装置の充電装置。
【請求項９】
自走式清掃装置の充電装置であって、
上向きの開口部を有し、前記自走式清掃装置を縦に取り付ける載置部を設ける第１ケース体と、
前記第１ケース体の下方に位置し、前記充電装置を床面に安定に立たせる支え台を有する第２ケース体と、
前記第２ケース体に取り付けていて、正負極導電端子と、電源に接続するソケットとを有し、前記自走式清掃装置の誘導信号を発信する前記信号発信素子と電気接続する電気回路板を設ける電気回路装置と、を備えることを特徴とする、自走式清掃装置の充電装置。
【請求項１０】
上向きの開口部を有し、前記載置部の周縁に前記載置部と連絡する凹部を設けることを特徴とする、請求項９記載の自走式清掃装置の充電装置。
【請求項１１】
前記第１ケース体の前記載置部は、底部と周りが密閉した壁面から構成し、前記載置部の前方壁面にて、前記凹部を設けられ、前記載置部の後方壁面の内側に前記誘導部材を設けることを特徴とする、請求項７または１０のいずれかに記載の自走式清掃装置の充電装置。
【請求項１２】
前記第１ケース体の前記載置部の底部に前記電気回路装置の前記正負極導電端子を前記載置部に凸設させるために、２つのくり抜き穴を設けることを特徴とする、請求項７または９のいずれかに記載の自走式清掃装置の充電装置。
【請求項１３】
前記載置部のＸ軸方向の左右両側の壁面にアーチ状を形成することを特徴とする、請求項７または９のいずれかに記載の自走式清掃装置の充電装置。
【請求項１４】
前記第２ケース体の前側に、前記信号発進素子の嵌着に用いる嵌着溝を設けることを特徴とする、請求項８または９のいずれかに記載の自走式清掃装置の充電装置。
【請求項１５】
前記第２ケース体にて収容スペースを凹設していて、かつ前記収容スペースに前記電気回路装置に備える前記電気回路板の固定穴を固定するための位置決め軸ハウジングを設けることを特徴とする、請求項７または９のいずれかに記載の自走式清掃装置の充電装置。
【請求項１６】
前記第１ケース体と、前記第２ケースとの間に位置する透光板をさらに含むことを特徴とする、請求項８または９のいずれかに記載の自走式清掃装置の充電装置。
【請求項１７】
前記充電装置の両側に位置する２つのサイドカバーをさらに含むことを特徴とする、請求項７または９のいずれかに記載の自走式清掃装置の充電装置。
【発明の詳細な説明】
【技術分野】
【０００１】
本発明は充電装置に関し、特に手動方式に充電することができ、自律に移動して清掃作業を実行する自走式清掃装置において、充電必要な自走式清掃装置に充電を提供する自走式清掃装置の充電装置に関する。
【背景技術】
【０００２】
一般に市販されている自走式清掃装置は、ハイエンド機種とローエンド機種に大きく分けることができる。前者の単価は高く、内部スペースも大きいため、高いコストを掛けて、充電モジュールが内設され原点に自動復帰して充電方式が採用されている。自走式清掃装置が低い電位のときに、充電装置から発信される誘導信号と、自走式清掃装置に内設する検出ユニットによって、自走式清掃装置を原点に戻して充電することができ、手動操作の必要はなく、自動化のレベルは非常に高い。これに対して、後者の販売価格が低いことから、機構と電気回路設計とも簡素化され、手動方式の充電方式が講じられている。この種の自走式清掃装置は電力が消耗し尽くした後には、任意の位置に停止し、使用者が電気切れに気づいたときに手動方式によって、この種の自走式清掃装置を充電装置に持っていて充電させる。
【発明の概要】
【発明が解決しようとする課題】
【０００３】
公知のハイエンド自走式清掃装置が充電するときに、自走式清掃装置と充電装置とも地面に置かれているため、床上の使用スペースを占拠されてしまうほか、自走式清掃装置の充電ユニットと充電装置の導電端子は、軽く接触しているのみ、自走式清掃装置と充電装置とも床上に設置する環境条件において、両者が外力によって（例えば、使用者に蹴られる）分離し易い。このように、自走式清掃装置と充電装置は充電接続の安定性の不足感を与えられている。そのほかに、人為的受電方式を採用する自走式清掃装置の価格は安いものの、電気を消耗し尽くした後には、ソファ、ベッドなどの隠蔽物体の下方に隠されるため、使用者がなかなか気づき難くいである。ローエンド機種がために、不便性も高い、消費者にとって、合理かつ理想なローエンド設計と言えない。
【課題を解決するための手段】
【０００４】
本発明の目的は、自走式清掃装置を縦に取り付けて充電することができ、かつ内設された自走式清掃装置の一部を露出させる、自走式清掃装置の充電装置を提供する。
【０００５】
本発明のもう一つの目的は、自走式清掃装置を縦に取り付けて充電することができ、自走式清掃装置を充電装置に寄り付けることができる、自走式清掃装置の充電装置を提供する。
【０００６】
本発明の目的に基づき、上向きの開口部を有し周りが密閉していて、縦に載置された自走式清掃装置に充電させる導電端子を内設する載置部と、載置部に連絡していて、載置部に取り付けられた自走式清掃装置の一部分を露出させる凹部と、を備える自走式清掃装置の充電装置を提供する。
【０００７】
本発明のもう一つの目的に基づき、自走式清掃装置の充電装置は、上向きの開口部を有し自走式清掃装置を縦に載置することができる載置部と、載置部の前側は、上向きの開口部有し載置部に連絡する凹部とを設けける第１ケース体と、第１ケース体の下方に位置し、充電装置を床に安定に立たせる支え台を設ける第２ケース体と、正負極導電端子と電源に接続するソケットとを含む電気回路板を有する電気回路装置と、を備える。
【０００８】
本発明もう一つの目的に基づき、自走式清掃装置の充電装置は、上向きの開口部を有し周りが密閉していて、縦に載置された自走式清掃装置に充電させる導電端子を内設する載置部と、誘導信号を発信することによって、自走式清掃装置を充電装置に引き寄せる信号発信素子と、を備える。
【０００９】
本発明もう一つの目的に基づき、自走式清掃装置の充電装置は、載置部の前側に上向きの開口部を有し載置部と連絡する凹部を開ける第１ケース体と、第１ケース体の下方に位置し、充電装置を床にて安定に立たせる支え台を設ける第２ケース体と、正負極導電端子と電源に接続するソケットとを含む電気回路板を有する電気回路装置と、を備える。
【００１０】
本発明の実施例において、自走式清掃装置の充電装置は、第１信号発信素子と、第２信号発信素子を利用し、自走式清掃装置の電力が消耗し尽くされる前に充電装置の付近場所に誘導し、使用者に気づけさせ、充電装置に持っていて充電させることができ、手動式充電方式による自走式清掃装置の利便性が向上される。原点に復帰させる自走式清掃装置の複雑な構造及び高いコストを避けられるほか、床空間の使用効果を向上できる。さらに、充電装置の機構設計は、充電機能のほかに、機構組立の特色を生かして、自走式清掃装置の載置を提供し、凹部は自走式清掃装置の特定部位を露出させる機能の他に凹部によって仕切られた両側に、それぞれ信号誘導の機能が提供される。
【図面の簡単な説明】
【００１１】
【図１】本発明の実施例による充電装置の立体分解図である。
【図２】本発明の実施例による充電装置の立体図である。
【図３】発明の実施例による自走式清掃装置が充電装置にて充電されることを示す立体図である。
【発明を実施するための形態】
【実施例】
【００１２】
図１、本発明の実施例による自走式清掃装置の充電装置１を参照する。
【００１３】
第１ケース体１１は、充電装置１のＺ軸方向の上部に位置し、第１ケース体１１はＺ軸方向に沿って、上向きの開口部を有する載置部１１１を凹設され、載置部１１１は底部１１２と周囲の壁面１１３から構成し、載置部１１１前方の壁面１１３にて、載置部１１１に連絡する凹部１１４を開けられ、載置部１１１後方の壁面１１３にて、凹部１１４内側の底部１１２の付近部に複数の誘導部材１１５を設けられ、載置部１１１の底部１１２に２つのくり抜き穴１１６を設けられ、載置部１１１のＸ軸は左右両端の壁面１１３に向かってアーチ状を形成していて、かつその外側に留め穴１１７を設けられている。
【００１４】
第２ケース体１２は充電装置１のＺ軸方向にある第１ケース体１１下方に位置し、第２ケース体１２の底部は、Ｙ軸方向に間隔を置き、互いに平行させた２つの支え台１２１を設けることによって、充電装置１を床にて安定に立たせることができる。第２ケース体１２の前側に間隔を置いた両端に細長い溝状の嵌合溝１２２を設け、その側縁に２つのフランジ状の固定部１２３を形成していて、かつ第２ケース体１２のＸ軸方向の左右両側にそれぞれ係合溝１２４を設け、第２ケース体１２は収容スペース１２５をさらに凹設しており、収容スペース１２５に位置決め軸ハウジング１２６と、位置決め軸ハウジング１２６の両側に位置する２つの第１固定軸ハウジング１２７と２つの第２固定軸ハウジング１２８を設け、第２ケース体１２後ろ側の側面に電気入力穴１２９を開けられている。
【００１５】
透光板１３は、充電装置１のＹ軸方向の前側と、第１ケース体１１と第２ケース体１２の間に位置する。
【００１６】
２つのサイドカバー１４は、充電装置１のＸ軸方向の左右両側に位置し、係る２つのサイドカバー１４は正八面体を形成し、サイドカバー１４の対向側にそれぞれ三つの締結具１４１を設けられている。
【００１７】
電気回路装置１５は、電気回路板１５１に正負極の導電端子１５２と、ＤＣ電源に接続するソケット１５３と、第２ケース体２に装着して電気接続する嵌着溝１２２と、複数のＬＥＤ光源を設けられた第１信号発信素子１５４と、第２信号発信素子１５５と、固定穴１５６とを含む。
【００１８】
本実施例において、組み合わせるときに、電気回路装置１５の電気回路板１５１の固定穴１５６を第２ケース体１２の固定軸ハウジング１２６に枢設した後に、締め付け具を用いて電気回路板１５１を２つの第１固定軸ハウジング１２７に固定させ、ソケット１５３を第２ケース体１２の電気入力穴１２９装着して、第１信号発信素子１５４と第２信号発信素子１５５をそれぞれ２つの嵌着溝１２２装着した後に、透光板１３の掛け合い縁部１３１を第１ケース体１１に係合させ、留めリング部１３２を第２ケース体１２の下部に係合して、第１ケース体１１の載置部１１１の底部１１２に備える２つのくり抜き穴１１６を電気回路板１５１の正負極導電端子１５２の下部に合わせて、正負極導電端子１５２を載置部１１１底部１１２の上方に露出させ、締め付け具を用いて、第１ケース体１１を第２ケース体１２の２つの第２固定軸ハウジング１２８に締め付け、最後に２つのサイドカバー１４の内向き側に設けられた３つの係着具１４１を第１ケース体１１のアーチ状壁面１１３外側の留め穴１１７と、第２ケース体１２のＸ軸方向の左右両側の係合溝１２４に装着して、第１ケース体１１と、第２ケース体１２と、透光板１３とを合わせて充電装置１の外部形状を形成する。
【００１９】
引き続き図２と図３、組立完了後の充電装置１を参照する。自走式清掃装置を縦に取り付けて載置し充電する、上向きの開口部を有し周りが密閉する載置部１１１が提供され、載置部１１１の内部にて凸設する導電端子１５２と、自走式清掃装置２を誘導して、載置部に照準し、載置部に嵌着させて確実に充電する誘導部材１１５を設けられ、係る充電装置１は載置部１１１に連絡する凹部１１４をさらに提供していて、載置部１１１に取り付けられた自走式清掃装置２の一部を凹部１１４から露出させ、露出させる部位は例えば、自走式清掃装置２の外観またはスイッチ、表示部であっても良い。充電装置１に内設する第１信号発信素子１５４と、第２信号発信素子１５５を凹部１１４の両側に取り付けて、それぞれ赤外線の誘導信号を発信して、自走式清掃装置２を充電装置１に寄り付けさせる。
【００２０】
本発明の実施例において、自走式清掃装置２の充電装置１は、第１信号発信素子１５４と、第２信号発信素子１５５を利用し、自走式清掃装置２の電力が消耗し尽くされる前に充電装置１の付近場所に誘導し、使用者に気づけさせ、充電装置１に持っていて充電させることができ、手動式充電方式による自走式清掃装置２の利便性が向上される。原点に復帰させる自走式清掃装置２の複雑な構造及び高いコストを避けられるほか、床空間の使用効果を向上できる。さらに、充電装置１の機構設計は、充電機能のほかに、機構組立の特色を生かして、自走式清掃装置２の載置を提供し、凹部１１４は自走式清掃装置２の特定部位を露出させる機能の他に凹部１１４によって仕切られた両側に、それぞれ信号誘導の機能が提供される。
【００２１】
以上に説明したものは本発明の好ましい実施例に過ぎず、本発明の実施範囲に制限を加わるものではない。よって、本発明の実施範囲および明細書の内容による等効果変化と修飾はなお本発明の特許登録の範疇に含まれるものとする。
【符号の説明】
【００２２】
１      充電装置
１１    第１ケース体
１１１  載置部
１１２  底部
１１３  壁面
１１４  凹部
１１５  誘導部材
１１６  くり抜き穴
１１７  留め穴
１２    第２ケース体
１２１  支え台
２２    嵌着溝
１２３  固定部
１２４  係合溝
１２５  収容スペース
１２６  位置決め軸ハウジング
１２７  第１固定軸ハウジング
１２８  第２固定軸ハウジング
１２９  コンセント
１３    透光板
１３１  掛け合い縁部
１３２  留めリング部
１４    サイドカバー
１４１  係着具
１５    電気回路装置
１５１  電気回路板
１５２  導電端子
１５３  ソケット
１５４  第１信号発信素子
１５５  第２信号発信素子
１５６  固定穴
２      自走式清掃装置
【図１】
2015073425.tif 000003
【図２】
2015073425.tif 000004
【図３】
2015073425.tif 000005